(57)【要約】  本発明は、特には保全及び／又は貴重書類（１）等の安全な物品に関するもので、該安全な物品は、少なくとも１つの基体と、少なくとも１つの可視認証構造（４，１１，２２，３２，４２，５１）と、前記認証構造により少なくとも部分的に画定される少なくとも１つの検査ゾーン（５）であって、前記認証構造が該検査ゾーンの輪郭を少なくとも部分的に画定し及び／又は該検査ゾーンを位置特定するように働くような検査ゾーンと、該検査ゾーン（５）における前記認証構造とは異なる少なくとも１つの識別エレメント（３，５０，６１）とを有し、前記検査ゾーンは前記少なくとも１つの識別エレメントの特には空間的及び／又は物理的な少なくとも１つの特徴により識別情報が供給されるのを可能にする。
2009507690.tif 000002
【特許請求の範囲】
【請求項１】
特には保全及び／又は貴重書類（１，１０，２０，３０，４０）である安全な物品において、
−  少なくとも１つの基体と、
−  少なくとも１つの可視認証構造（４，１１，２２，３２，４２，５１）と、
−  前記認証構造により少なくとも部分的に画定される少なくとも１つの検査ゾーン（５）であって、前記認証構造が該検査ゾーンの輪郭を少なくとも部分的に画定し及び／又は該検査ゾーンを位置特定するように作用する検査ゾーンと、
−  前記検査ゾーン（５）における、前記認証構造とは異なる少なくとも１つの識別エレメント（３，５０，６１）であって、前記検査ゾーンが、識別情報が前記少なくとも識別エレメントの特には空間的又は物理的な少なくとも１つの特徴により供給されるのを可能にするような識別エレメントと、
を有する安全な物品。
【請求項２】
前記基体が繊維性である請求項１に記載の物品。
【請求項３】
前記検査ゾーン（５）の特には空間的及び／又は物理的な少なくとも１つの特徴に、少なくとも識別情報が関連されるような請求項１又は２に記載の物品。
【請求項４】
前記物品が前記情報を有するような請求項３に記載の物品。
【請求項５】
前記情報が、前記少なくとも識別エレメントの１つの空間的及び／又は物理的な特徴、特には複数の識別エレメントの空間的分布に関するものである請求項３又は４に記載の物品。
【請求項６】
前記物品が前記検査ゾーン内に特にはランダムに分散された複数の識別エレメントを有し、前記識別情報が前記複数の識別エレメントの特には空間的及び／又は物理的な１つの特徴に対する関連を示すことを特徴とする請求項１ないし５の何れか一項に記載の物品。
【請求項７】
前記認証構造（４，１１，２２，３２，４２）が前記書類において所定の位置を占めることを特徴とする請求項１ないし６の何れか一項に記載の物品。
【請求項８】
前記認証構造（５１）が前記書類においてランダムな位置を占めることを特徴とする請求項１ないし６の何れか一項に記載の物品。
【請求項９】
前記認証構造が可視光において反射及び／又は透過により裸眼で検出することができることを特徴とする請求項１ないし８の何れか一項に記載の物品。
【請求項１０】
前記認証構造が特には紫外の所定の照明下で透過により裸眼で検出することができ、該認証構造が特に可視光においては検出することができないことを特徴とする請求項１ないし８の何れか一項に記載の物品。
【請求項１１】
前記識別エレメントが裸眼では検出することができないことを特徴とする請求項１ないし１０の何れか一項に記載の物品。
【請求項１２】
前記識別エレメント（３）が、特には光電的、電磁的、電気的、磁気的、熱的又は音響的な１つの外部励起を受けた場合に１つの固有の信号を放出するように構成されていることを特徴とする請求項１ないし１１の何れか一項に記載の物品。
【請求項１３】
前記識別情報に関連する前記物理的特徴が、前記検査ゾーンにおける前記識別エレメント又は複数の識別エレメントの１つの光学的、電磁的、電気的、磁気的、熱的又は音響的な特徴に対応することを特徴とする請求項１２に記載の物品。
【請求項１４】
前記識別情報に関連する前記空間的な特徴が、前記検査ゾーンにおける前記識別エレメント又は複数の識別エレメントの配置、大きさ又は単位面積若しくは体積単位当たりの密度に関するものであることを特徴とする請求項１ないし１３の何れか一項に記載の物品。
【請求項１５】
前記認証構造が少なくとも１つの識別エレメントの１つの媒体（２２）を有することを特徴とする請求項１ないし１４の何れか一項に記載の物品。
【請求項１６】
前記媒体が当該物品の幅より小さな幅を持つ少なくとも１つの帯状エレメント（２２）を含み、該帯状エレメントが特に当該物品の１つの基体（２１）内に少なくとも部分的に組み込まれていることを特徴とする請求項１５に記載の物品。
【請求項１７】
当該物品が、前記帯状エレメント（２２）が外部に対して少なくとも部分的に露出され得る少なくとも１つの窓（２３）を有し、前記検査ゾーン（５）が特に前記窓（２３）により少なくとも部分的に画定されることを特徴とする請求項１６に記載の物品。
【請求項１８】
前記認証構造の媒体が少なくとも１つの繊維（５１）又は薄片（５５）を有し、前記検査ゾーンが該繊維又は薄片の輪郭により少なくとも部分的に画定されることを特徴とする請求項１５に記載の物品。
【請求項１９】
前記認証構造が少なくとも１つの繊維を有し、この繊維が１つの識別エレメントを形成する複数の粒子を担持していることを特徴とする請求項１８に記載の物品。
【請求項２０】
前記認証構造が少なくとも１つの紙に基づく薄片を含むことを特徴とする請求項１９に記載の物品。
【請求項２１】
前記書類が、第１のタイプの少なくとも１つの第１の認証構造と、該第１のタイプとは異なる第２のタイプの複数の第２の認証構造とを有することを特徴とする請求項１ないし２０の何れか一項に記載の物品。
【請求項２２】
前記検査ゾーンの輪郭が前記認証構造の輪郭と一致するような請求項１に記載の物品。
【請求項２３】
前記識別エレメント（３）が前記認証構造（４，１１）の面積より大きな面積を持つ１つの物品のゾーン内に分散され、前記識別エレメントが特に当該物品の表面全体にわたって分散されていることを特徴とする請求項１ないし１４の何れか一項に記載の物品。
【請求項２４】
特には繊維性の１つの基体を有する請求項１ないし２３の何れか一項に記載の物品において、該基体（２）が少なくとも１つの識別エレメント（３）を含むか又は担持することを特徴とする物品。
【請求項２５】
前記識別エレメントが前記基体内で該基体の面積よりも小さな面積のゾーン内に特にはランダムに分散され、このゾーンが例えば帯状を呈することを特徴とする請求項１ないし１４の何れか一項に記載の物品。
【請求項２６】
前記認証構造及び前記基体が別であるような請求項１ないし２５の何れか一項に記載の物品。
【請求項２７】
前記認証構造が前記基体の一方の面上に配設され、該認証構造（１１）が特に１つの帯体又は１つのパッチを有することを特徴とする請求項２６に記載の物品。
【請求項２８】
特には前記帯体又は前記パッチであるような前記認証構造が前記検査ゾーンを少なくとも部分的に画定する少なくとも１つの窓（１３）を有し、該窓が特に前記認証構造の１つの非金属化されたゾーン又は１つの打ち抜かれたゾーンにより形成されることを特徴とする請求項２６又は２７に記載の物品。
【請求項２９】
前記認証構造が、特には前記基体上に設けられる真珠色被膜のような１つの表面塗装（４２）である１つの被膜を有し、該被膜が前記検査ゾーンを画定するように配置された変化する厚さの幾つかのゾーンを有していることを特徴とする請求項２６に記載の物品
【請求項３０】
１つのバイジェット紙を有するような請求項２６に記載の物品において、１つの第１ジェット（３３）が前記基体を画定し、前記認証構造が、１つの第２ジェット（３２）内に形成されると共に前記検査ゾーンを少なくとも部分的に画定するような少なくとも１つの窓を有することを特徴とする物品。
【請求項３１】
前記認証構造が前記基体上に少なくとも部分的に実施化されることを特徴とする請求項１ないし２５の何れか一項に記載の物品。
【請求項３２】
前記認証構造が前記基体上に実施化された少なくとも１つの透かし（４）を有することを特徴とする請求項３１に記載の物品。
【請求項３３】
前記識別エレメントの少なくとも１つが、
−  例えば１つの紫外線吸収体化学化合物又はＸ線蛍光により検出することが可能なエレメントのような１つの活性材料、
−  発光性、特には蛍光性の１つの粒子、
−  特には軟磁性繊維である１つの磁性繊維のような１つの繊維、又は特には赤外線に対する暴露により光学的に励起され得る１つの繊維、
−  １つの紙基体の３Ｄ微細構造、
の中から選択されることを特徴とする請求項１ないし３２の何れか一項に記載の物品。
【請求項３４】
１つのプラスチック基体（６０）を有するような請求項１ないし３３の何れか一項に記載の物品において、前記識別エレメントが、特には材料の欠損又は気泡であるような、前記基体内の不均一なエレメント（６１）により形成されることを特徴とする物品。
【請求項３５】
前記認証構造が、
−  １つの透かし、
−  昼光において又は特定の照明下においてのみ例えば着色して見え、例えば非円形断面で円柱形状を有し得るか又はそうでない１つの繊維、
−  昼光において又は特定の照明下においてのみ見え、全表面上において又は表面の一部においてのみ例えば金属的又はホログラム的であり得、円形形状を有し得るか又はそうでない１つの薄片、
−  金属的又はホログラム的な、１つの膜又は１つの印刷された帯体、
−  １つの印刷された、金属的な又はホログラム的な箔、
−  可変光学効果を持つ１つの印刷、
のうちの少なくとも１つを有することを特徴とする請求項１ないし３４の何れか一項に記載の物品。
【請求項３６】
前記認証構造が、特に白色光で見えるインクの印刷とは異なることを特徴とする請求項１ないし３４の何れか一項に記載の物品。
【請求項３７】
前記識別情報が前記空間的及び／又は物理的な特徴を有することを特徴とする請求項１ないし３６の何れか一項に記載の物品。
【請求項３８】
前記識別情報が、当該物品の１つの別の媒体（１３０）上に記憶された前記空間的及び／又は物理的な特徴を取り出すのを可能にするような請求項１ないし３６の何れか一項に記載の物品。
【請求項３９】
前記識別情報が、前記検査ゾーンに含まれる識別エレメントの１つの画像を含む又は取り出すように作用することを特徴とする請求項１ないし３８の何れか一項に記載の物品。
【請求項４０】
前記識別情報が、特に暗号化されて、直接的には理解することができないことを特徴とする請求項１ないし３９の何れか一項に記載の物品。
【請求項４１】
前記識別情報を記憶することができる少なくとも１つのデータ媒体（８）を有することを特徴とする請求項１ないし４０の何れか一項に記載の物品。
【請求項４２】
前記データ媒体が、
−  特には１つのバーコードであるような１つの光学装置、
−  特には１つのチップを有するような、データを記憶することができる１つの電子装置、
−  １つの磁気トラック、
−  １つの光メモリ、
の中から選択されることを特徴とする請求項４１に記載の物品。
【請求項４３】
１つの見掛け引用文（６）を有することを特徴とする請求項１ないし４２の何れか一項に記載の物品。
【請求項４４】
前記識別情報が、当該物品上に配置された少なくとも見掛け引用文を表す情報にアクセスするのを可能にすることを特徴とする請求項４３に記載の物品。
【請求項４５】
少なくとも１つの紙基体を有することを特徴とする請求項１ないし４４の何れか一項に記載の物品。
【請求項４６】
光学的に変化しないインクにより印刷され、前記検査ゾーンを少なくとも部分的に画定するか又は該検査ゾーンを位置特定するのを可能にするマークがない請求項１ないし４５の何れか一項に記載の物品。
【請求項４７】
特には保全及び／又は貴重書類であるような安全な物品を認証及び／又は識別する方法において、前記物品が、
−  少なくとも１つの認証構造と、
−  前記認証構造により少なくとも部分的に画定される少なくとも１つの検査ゾーンと、
−  前記検査ゾーンにおける、前記認証構造とは異なる少なくとも１つの識別エレメントと、
を有し、
前記物品が前記検査ゾーンの特には空間的又は物理的な少なくとも１つの特徴に関連された少なくとも１つの識別情報に関連づけられており、
当該方法が、前記物品を認証するステップ及び識別するステップの少なくとも一方を有し、
当該方法は、前記物品を認証するステップが、
−  前記認証構造（４，１１，２２，３２，４２，５１）を、所与の照明条件下で反射及び／又は透過により特には裸眼で観察するステップと、
−  前記観察により、前記物品の正真性に関して結論するステップと、
を有し、
前記物品を識別するステップが、
−  前記識別情報に関連される前記物品の検査ゾーンの前記特徴を、該物品の検査ゾーンから得られた少なくとも１つの特徴と比較するステップと、
−  少なくとも前記比較により、前記物品の素性に関して結論するステップと、
を有することを特徴とする方法。
【請求項４８】
前記物品を識別するステップが自動的に実行されることを特徴とする請求項４７に記載の方法。
【請求項４９】
請求項４７又は４８に記載の方法において、
−  前記検査ゾーンを前記物品の画像解析により位置特定するステップ、
を有することを特徴とする方法。
【請求項５０】
前記物品が前記識別情報を有し、この識別情報が、当該物品を識別する場合に、前記検査ゾーンの前記特徴を該識別情報と比較する前に読み取られ、前記物品を識別するステップが、
−  前記物品の検査ゾーンにおける識別エレメントの配置を、前記識別情報により取り出された画像と比較するステップ、
を有するような請求項４７ないし４９の何れか一項に記載の方法。
【請求項５１】
前記物品を識別するステップが、
−  前記検査ゾーン内の前記識別エレメントにより、特には該識別エレメントが外部励起を受けた場合に発生される信号の強度を測定し、及び／又は該信号のタイプを決定するステップと、
−  前記測定された信号の強度及び／又は前記信号のタイプを、前記識別情報により取り出されたデータと比較するステップと、
を有することを特徴とする請求項４７ないし５０の何れか一項に記載の方法。
【請求項５２】
前記物品が少なくとも１つの見掛け引用文を有し、前記方法が、
−  前記見掛け引用文を表す情報を、前記物品上に見える前記見掛け引用文自体と比較するステップと、
−  少なくとも前記比較により、前記物品の正真性及び／又は素性を結論するステップと、
を有するような請求項４７ないし５１の何れか一項に記載の方法。
【請求項５３】
特には保全及び／又は貴重書類であるような安全な物品を認証及び／又は識別するシステム（１００）において、前記物品が、
−  少なくとも１つの認証構造と、
−  前記認証構造により少なくとも部分的に画定される少なくとも１つの検査ゾーンと、
−  前記検査ゾーンにおける、前記認証構造とは異なる少なくとも１つの識別エレメントと、
を有し、
前記物品が前記検査ゾーンの、特には前記少なくとも１つの識別エレメントの特には空間的又は物理的な少なくとも１つの特徴に関連された少なくとも１つの識別情報に関連付けられており、
当該システムが、
−  前記物品上の前記検査ゾーンを位置特定するように構成された特には光学的な画像解析手段（１０３）と、
−  前記画像解析手段により位置特定された前記検査ゾーンの、特には該検査ゾーンにおける識別エレメント又は複数の識別エレメントの特には空間的及び／又は物理的な特徴の取得手段（１０４）と、
−  オプションとしての、前記識別情報に関連された前記物品の検査ゾーンの前記特徴を、前記取得手段により得られた少なくとも１つの特徴と比較するように構成された１つの処理ユニット（１０５）と、
を有するようなシステム。
【請求項５４】
−  第１のタイプの少なくとも１つの第１の認証構造と、
−  前記第１の認証構造により少なくとも部分的に画定される少なくとも１つの第１の検査ゾーンと、
−  前記第１のタイプとは異なる第２のタイプの少なくとも複数の第２の認証構造であって、該第２の認証構造の各々が例えば１つの繊維又は１つの薄片を含み、該第２の認証構造が好ましくは前記第１の検査ゾーン内にランダムに分散されるような第２の認証構造と、
−  例えば或る第２の認証構造の輪郭により画定されるように、前記第２の認証構造の少なくとも１つにより少なくとも部分的に画定される少なくとも１つの第２の検査ゾーンと、
−  前記第２の検査ゾーンにおける、前記第２の認証構造とは異なる少なくとも１つの識別エレメントと、
を有するようなシート状材料。
【請求項５５】
シート状材料から保全及び／又は貴重書類を製造する方法において、前記シート状材料が、
−  少なくとも１つの基体と、
−  少なくとも１つの認証構造と、
−  前記認証構造により少なくとも部分的に画定される少なくとも１つの検査ゾーンと、
−  前記検査ゾーンにおける、前記認証構造とは異なる少なくとも１つの識別エレメントと、
を有し、前記方法が、
−  前記シート状材料に、前記検査ゾーンの、特には前記検査ゾーンにおける前記少なくとも１つの識別エレメントの特には空間的及び／又は物理的な少なくとも１つの特徴に関連された少なくとも１つの識別情報を設けるステップ、
を有するような方法。
【請求項５６】
−  少なくとも１つの基体と、
−  特には繊維若しくは１つの薄片、又は一群の繊維及び／又は薄片であるような、前記基体と作用し合う少なくとも１つの可視認証構造と、
−  前記認証構造により、特には前記繊維又は薄片の輪郭により少なくとも部分的に画定される少なくとも１つの検査ゾーンと、
−  前記検査ゾーンにおける、前記認証構造とは異なる少なくとも１つの識別エレメントであって、粒子又は１つの活性材料を有するような識別エレメントと、
を有するシート状材料。
【発明の詳細な説明】
【技術分野】
【０００１】
本発明は、特には保全及び／又は貴重書類（security and/or valuable document）等の安全な物品、並びに斯かる物品を得るための材料に関する。
【背景技術】
【０００２】
如何なる改竄又は偽造の試みに対しても保護することを可能にするような保全エレメント（security elements）を有する保全及び／又は貴重書類が知られている。
【０００３】
上記保全エレメントのうち、幾つかは、如何なる特別な装置を用いることもなく可視光において裸眼で検出することができる。これらの保全エレメントは、例えば、１つの透かし、幾つかの着色繊維若しくは薄片、幾つかの印刷された、金属の若しくはホログラムの糸、幾つかのホログラム箔又は幾つかの可変光学効果を備える印刷を有している。
【０００４】
これらの保全エレメントは、第１レベルのものであると言われる。
【０００５】
他の形式の保全エレメントは、ＵＶ又は赤外線放出ランプ等の比較的簡単な装置を用いてのみ検出することができる。これらの保全エレメントは、例えば、繊維、薄片（flakes）、細条（strips）、糸又は粒子を有する。これらの保全エレメントは、裸眼にとり可視であるか又はそうでないものであり得、例えば３６５ｎｍの波長で放射するウッドランプの照明下で発光的である。
【０００６】
これらの保全エレメントは第２レベルのものであると言われる。
【０００７】
他の形式の保全エレメントは、検出のために一層複雑な検出器を必要とする。これらの保全エレメントは、例えば、１以上の外部励起源に同時的に又は非同時的に曝されると、固有の信号を発生することができる。該信号の自動検出は、必要なら、当該書類を認証（真正であることを証明する：authenticate）するのを可能にする。
【０００８】
これらの保全エレメントは、例えば、光電的、電気的、磁気的又は電磁的励起を受けると固有の信号を発生することができる活性材料、粒子又は繊維の形態の幾つかの追跡子（トレーサ）を有する。
【０００９】
これらの保全エレメントは、第３レベルのものであると言われる。
【００１０】
書類内にランダムに分散された幾つかの追跡子は、追跡子の密度若しくは当該書類の所定のゾーン内の追跡子の地理的分布と個別に及び／又は一緒に考慮されて、例えば斯かる追跡子により発生される信号の強度及び／又はタイプに基づいて該書類の単一の署名を形成することにより識別するように働くことができる。
【００１１】
書類を識別するために使用することが可能な幾つかの追跡子は、例えば、外部磁界に対する応答が非線形であるような軟磁性繊維を有し、該繊維の磁化はヒステリシスループに従って変化する。当該書類の所定のゾーンに存在する繊維群は、上記ゾーンに存在する繊維の分布、向き及びランダム数により該文書の単一の署名を画定することができる。パスポートの、特にビザの頁の場合、パスポート保持者に関するカスタム化がなされる頁上に磁性繊維を存在させることができる。ＩＣＡＯ（国際民間航空機関）の推奨に従う該カスタム化は、カスタム化データからの頁境界における１つの符号化ラインの印刷を含む。このＯＣＲ（光学文字認識）ラインは、適切な光学制御システムにより自動的に制御される。この光学制御システムは、上記ＯＣＲラインを読み取る場合に、該光学制御システムにより検査ゾーンに存在する磁性繊維によって磁界下で発生される信号の識別も実行することができるように、構成することができる。
【００１２】
マイクロ波型の励起に対して反射及び透過による固有の応答を持つような金属繊維からなる追跡子も使用することができる。
【００１３】
ＣＲＥＯ社によりTraceless（商標）なる商品名で販売されている追跡子も知られている。粒子からなるこれら追跡子は、保護されるべき書類に挿入後は見えず、赤外線の場での励起を受ける場合に固有の電磁的応答により検出することができる。斯様な粒子を有する書類の上記の可能にされた識別は、所定のゾーンにおける粒子分布の検証に基づくもので、この検証は、特に、適切な電磁源の下で観察される粒子画像により実行される。考えられる検査ゾーンは、例えば、後の日に書類上に印刷される文字輪郭に依存することができる。
【００１４】
NANOBARCODES社によりNanoplex（登録商標）なる商品名で販売されている微細粒子は、画像の光学分析を介しての識別用として書類に使用することができる。これらの粒子は、異なる金属を積層することにより得られた変化する反射率ゾーンを備える円柱形状を呈し、使用される金属の順序に従って、変化する光コードを生成することを可能にする。認証のための書類上の粒子の検出は、光学顕微鏡により実施される。書類の識別は、更に、当該書類上に異なるコードの粒子をランダムに組み込み、該書類の所定のゾーンに対して画像解析を介して各タイプの粒子の各パーセンテージ及び上記ゾーンにおけるそれらの空間的分布をチェックすることにより、自動的に実施することもできる。
【００１５】
SPECTRA SYSTEMS社によりPolystar（商標）なる商品名で販売されている、３６５ｎｍの放射により励起可能な発光粒子を組み込んだ書類の場合、該書類の識別は、Vericam（商標）なる商品名で販売されているデジタルカメラを組み込んだ携帯システムを用いて、スペクトル放出、即ち粒子の発光“色”及び斯かる色の各々に対する粒子密度を分析することにより実行される。
【００１６】
HYPERLABEL
TECHNOLOGIES社は、活性材料を開発した。インクの形で製剤されると、この材料は、追跡されるべき書類又は物品上に、マトリクスコード形式の微細コードの形態でインクジェット印刷により印刷される。この見えないコードは、現在のところ、書類表面上のコードが部分的に変更された場合でさえも識別処理を可能とするように、及び特に管理されるべきゾーン上に読取システムを配置する際の許容誤差により該識別処理を容易にするために、追跡されるべき書類の特定の区域に冗長な態様で印刷される。該コードは、赤外で動作するデジタルカメラが装備されたシステムにより読み取られる。印刷されたコードの検査ゾーンは、各コードの周囲の固有のマークの印刷により定められ、各コードは、言わば、印された交差をもつ格子のボックスの中間に配置される。印刷により検査ゾーンを限定するこの方法は、幾つかの場合においては、制約となり得る。
【００１７】
ロンドンのインペリアル・カレッジのラッセル・カウバーン（Russel Cowburn）による「タグ、チップ又はインクを用いない包装及び書類の安全な指紋」なる題名の文献は、紙の３Ｄ微細構造（トポグラフィ）を検出するために紙のゾーンの走査を使用することにより１つの紙の署名を読み取る方法を開示している。走査される紙のゾーンは、当該紙の境界及び／又は角に位置する。斯かる境界及び角が損なわれた場合、読取は一層困難になるか、不可能にさえなる。
【００１８】
特許文献１は、透かし又は蛍光粒子等の何らかの識別エレメントを検出することができる窓を備えるホログラム帯体を一方の側に有するような紙幣（銀行券：banknote）を開示している。
【００１９】
特許文献２は、１つのプラスチック基体を有するカードを開示している。繊維が一方の基体側にランダムに分散され、基体の大きさが僅かに絞られている。この基体の側に、上記繊維を部分的に覆うように金属層が形成されている。該金属層は、上記繊維を検出するための窓を有している。該カードの識別は、上述した窓を介して、検出装置により1以上の直線に従い走査することによって繊維の存在を検出することにより実行される。
【００２０】
特許文献３は、内部にランダムに分散された磁性繊維を含むような紙及び／又は合成書類を開示している。該書類の認証は、磁気ヘッドによる走査ゾーン内の繊維の検出に依存している。
【００２１】
特許文献４は、磁性薄片を含む紙書類を開示している。この書類は、該書類の或るゾーンにおける薄片のランダム分布に直に関連された見えないバーコードを有している。
【００２２】
特許文献５は、ランダムに分散された粒子を含むタグを開示している。このタグは製造の間に紙幣に組み込むことができ、従って、該タグは、裸眼に対する反射により又は拡大鏡若しくは如何なる他の拡大付属品を用いても必ずしも見えるとは限らない。上記粒子の分布に関連づけられたコードを、該紙幣の連続番号と共にデータベースに記憶することができる。この出願において、粒子の位置は例えば或るラインに対して位置特定されることにより両次元で、又は３つの次元で測定される。
【００２３】
特許文献６は、磁性繊維を含む書類を開示しており、これら繊維に関連された信号の読取は、特定の経路に従って実施される。
【００２４】
【特許文献１】国際特許出願公開第WO2005/025891号
【特許文献２】米国特許出願公開第2004/0113420号
【特許文献３】フランス国特許出願公開第FR2324060号
【特許文献４】フランス国特許出願公開第FR2765014号
【特許文献５】英国特許出願公開第GB2324065A号
【特許文献６】米国特許第4114032号
【発明の開示】
【発明が解決しようとする課題】
【００２５】
特に、前記識別方法を改善し、基体に組み込まれた追跡子の自動読み取りにより該方法を信頼性のあるものにすると共に、改竄及び偽造に対する保全及び／又は貴重書類の保護を更に強化したいという要求が存在する。
【課題を解決するための手段】
【００２６】
本発明の目的は、その態様の１つによれば、保全された物品、特には保全及び／又は貴重書類であって、
−  繊維性とすることが可能な少なくとも１つの基体と、
−  少なくとも１つの認証構造と、
−  前記認証構造により少なくとも部分的に画定される少なくとも１つの検査ゾーンと、
−  前記検査ゾーン内の、前記認証構造とは異なる少なくとも１つの識別エレメントと、
を有する物品を提供することにある。
【００２７】
上記検査ゾーンは、識別情報が、少なくとも１つの識別エレメントの、特には空間的及び／又は物理的な少なくとも１つの特徴（feature）で以って供給されるのを可能にする。
【００２８】
前記認証構造は、特には反射又は透過により見える（可視の）第１レベルの保全エレメントであり得る。上記用語“見える（可視の）”とは、自然、人工光、ＵＶ又はＩＲの下で裸眼により又は恐らくは拡大鏡若しくは何らかの拡大付属品を用いて観察することができることを意味する。該観察は、画像解析を要せずに直接的になすことができる。
【００２９】
上記認証構造は、前記検査ゾーンの輪郭を少なくとも部分的に画定することができ、及び／又は該検査ゾーンを位置特定するように作用することができる。
【００３０】
上記用語“位置特定する”とは、上記認証構造が、検査ゾーンにおける少なくとも１つの物理的及び／又は空間的特徴、例えば識別エレメントの空間的分布、を決定する場合の基準系として作用することができることを意味する。この分布は、例えば当該物品の印刷出力によってではなく、上記認証構造自体により定められる基準点（数学的に言って）をとることにより決定することができる。
【００３１】
好ましくは、当該物品は、上記検査ゾーンの、特には少なくとも１つの識別エレメントの特には空間的及び／又は物理的な少なくとも１つの特徴に関連された少なくとも１つの識別情報に関連づけられる。該識別情報は、識別エレメントの分布を表すことができる。
【００３２】
この情報は、必要なら、当該物品上に存在することができる。
【００３３】
本発明によれば、上記認証構造は、一方においては当該保全物品を認証するように働くと共に、他方においては上記検査ゾーンを少なくとも部分的に画定して当該物品を識別するのを可能にする。
【００３４】
このように、本発明によれば、改竄及び／又は偽造の試みに対する当該物品の保護が、一層容易に改竄することが可能な印刷パターンにより検査ゾーンが定められるような既存の書類に対して、一層困難性のあるものとされる。
【００３５】
更に、本発明は、変化する非光学的インクを用いて輪郭又はマークを印刷することにより境界を定める（このような境界の画定は事故的であるか否かによらず機械的又は化学的摩耗を受け得る）ことには依存しないような検査ゾーンを用いることにより、当該基体に挿入された追跡子の識別処理を改善及び高信頼化するのに使用することができる。
【００３６】
当該検査ゾーンの輪郭は、必要なら、前記認証構造により物理的に画定することができる。他の例として、上記認証構造は、前記輪郭を物理的に画定することなしに、当該検査ゾーンを位置特定するように作用する。該検査ゾーンは、認証構造内に配置することができるか、該認証構造と一致することができるか、又は該認証構造から突き出ることができる。
【００３７】
当該保全された物品の署名は、上記検査ゾーン内に存在する識別エレメント（又は複数のエレメント）に専ら基づくか、又は該検査ゾーン内の識別エレメント（又は複数のエレメント）と該識別ゾーン内の基体の部分との組み合わせに基づくものとすることができる。
【００３８】
上記認証構造及び識別エレメントは、種々の形態で、上記基体と相互依存されるものとすることができる。
【００３９】
有利には、上記認証構造及び識別エレメントの少なくとも一方が、上記基体内に少なくとも部分的に、特には完全に、埋まるようにされ、これは該認証構造又は識別エレメントを抽出しようとする如何なる試みも困難に（不可能にさえ）する。
【００４０】
本発明の例示的実施例においては、当該物品は上記検査ゾーン内に、特にはランダムに、分散された複数の識別エレメントを有し、前記識別情報は、前記複数の識別エレメントの特には空間的及び／又は物理的な或る特徴との関連を個別に又は全体として示す。
【００４１】
前記識別エレメント（又は複数のエレメント）は、必要なら、コード、例えば適切な読取装置により読み取ることが可能なマトリクスコードを形成するように配置することができる。
【００４２】
前記認証構造は、当該物品の所定の又は、代替的に、ランダムな位置を占めることができる。
【００４３】
本発明の例示的実施例では、上記認証構造は可視光において反射及び／又は透過性により裸眼で検出することができる。
【００４４】
他の例として、上記認証構造は、特には紫外線等の所定の照明の下で反射及び／又は透過性により裸眼で検出することができるが、該認証構造は特別に可視光で検出可能である。
【００４５】
もし必要なら、前記認識エレメントは、特に照明条件がどのようであれ、裸眼では検出することができないものとする。
【００４６】
本発明の例示的実施例では、上記認識エレメントは、特に光電的、電磁的、電気的、磁気的、熱的又は音響的な外部的励起を受けると固有の信号を放出するように構成することができる。
【００４７】
上記外部的励起は、例えば、赤外線放射とすることができる。
【００４８】
前記特徴（feature）は、検査ゾーンにおける識別エレメント（又は複数のエレメント）のタイプに関係することができる。
【００４９】
前記識別情報に関連された物理的な特徴は、試験ゾーンにおける識別エレメント（又は複数のエレメント）の光学的、電磁的、電気的、磁気的、熱的又は音響的特徴に対応することができる。
【００５０】
他の例として、上記識別情報に関連された空間的な特徴は、上記検査ゾーンにおける識別エレメント（又は複数のエレメント）の配置、大きさ及び／又は単面積若しくは容積単位当たりの密度に関係することができる。
【００５１】
本発明の例示的実施例において、前記認証構造は少なくとも１つの識別エレメントの或る媒体を有する。
【００５２】
該媒体は、当該物品の幅より小さな幅の少なくとも１つの帯状（strip）エレメント（例えばプラスチックのもの）を有することができ、該帯状エレメントは、特には、１つの物品基体（特には、１つの繊維性基体）内に少なくとも部分的に組み込まれる。
【００５３】
上記帯状エレメントは、望むなら、該物品の第１の境界から、該第１のものに対面する第２の境界まで延在することができる。
【００５４】
上記基体は、上記帯状エレメントを外部に対して少なくとも部分的に曝すことが可能な少なくとも１つの窓を有し、その場合、前記検査ゾーンは例えば該窓により少なくとも部分的に画定される。
【００５５】
前記基体は、必要なら、互いに対向すると共に、該基体の対向する両側から前記帯状エレメントが少なくとも部分的に見え得るような２つの窓を有することができる。
【００５６】
前記媒体も、少なくとも１つの繊維又は１つの薄片を有することができ、前記検査ゾーンは該繊維又は薄片の輪郭により少なくとも部分的に画定することができる。
【００５７】
上記繊維又は薄片は、裸眼に対して可視的であり得る。
【００５８】
上記繊維又は薄片は、特には異なる物理的特性、例えば異なる色及び／又は反射率を有するような複数のゾーンを有することができ、これらの何れか又は組み合わせが識別エレメントを形成する。
【００５９】
本発明の例示的実施例では、前記認証構造は少なくとも１つの繊維、特には３６５ｎｍの放射に対する暴露により検出することが可能な１つの発光繊維を有し、この繊維は、特に該繊維が所与の電磁場に曝された場合の固有のスペクトル応答により特徴付けられる１つの識別エレメントを一緒に形成するような、特にはＣＲＥＯ社のTraceless（登録商標）粒子等の複数の粒子を担持する。
【００６０】
本発明の他の例示的実施例においては、前記認証構造は、特には紙に基づく例えばディスク状のものであって、望むなら着色することができる少なくとも１つの薄片を有する。該薄片は、有利には、活性材料を含むインクの印刷処理を受けて、特にはマトリクスコード等のコードを形成する。このインクは、必要なら、裸眼に対して可視的とすることができる。このコードは識別エレメントを形成し、前記検査ゾーンは該薄片の輪郭により画定される。上述したインク及びコードは、HYPERLABEL TECHNOLOGIES社により開発されたものとすることができる。
【００６１】
本発明の例示的実施例においては、前記物品は第１のタイプの少なくとも１つの第１認証構造と、該第１のものとは異なる第２のタイプの複数の第２認証構造とを有する。
【００６２】
上記第２認証構造は、好ましくは、上記第１認証構造により少なくとも部分的に画定される第１検査ゾーン内にランダムに分散される。これらの第２認証構造は、特には第１構造と比較した場合のそれらの位置、周波数及び／又は分布により、当該物品が識別されるのを可能にする単一の署名の境界を定めるが、該署名は第１及び第２構造の組み合わせの結果である。
【００６３】
上記第２認証構造の少なくとも１つは、少なくとも１つの識別エレメントの、繊維又は薄片等の１つの媒体を有することができる。
【００６４】
前述したように、繊維又は薄片等の該媒体の輪郭は、識別エレメント（又は複数のエレメント）の第２検査ゾーンの境界を定める。
【００６５】
当該物品の認証は、必要なら、上記第１及び第２認証構造に基づいて実施することができる。該物品の識別も、上記第１及び第２検査ゾーンのお陰で、２つの異なる方法で実施することができる。
【００６６】
前記基体は、必要なら、例えば形式、形状、大きさ、区域の２つの異なるタイプの及び／又は異なる視覚効果の及び／又はマルチコンポーネントタイプの幾つかの繊維、粒子又は薄片を有することができ、前記検査ゾーンは少なくともこれらエレメントの１つの輪郭により画定される。
【００６７】
本発明の例示的実施例においては、前記識別エレメントは、前記認証構造のものより劣る又は勝る面積を持つ当該物品のゾーン内に分散させることができ、これら識別エレメントは例えば全物品表面上に分散される。
【００６８】
当該物品は、特には繊維性の１つの基体を有することができ、該基体は少なくとも１つの識別エレメントを含み又は担持することができる。
【００６９】
前記識別エレメントは、必要なら、前記基体内の基体面積よりも小さな面積ゾーンに、特にはランダムに、分散させることができ、このゾーンは例えば帯状を呈する。
【００７０】
もし必要なら、当該物品は所定の又は可変のピッチで互いに離隔された上述したタイプの幾つかの帯体を有し、該ピッチの値又はその周波数は署名の境界を定めるために使用することができる。
【００７１】
本発明の例示的実施例では、前記認証構造及び基体は別個のものである。
【００７２】
上記認証構造は、例えば、上記基体の一方の側に設けることができると共に、例えば１つの帯体、１つの膜又は１つのパッチを有することができ、この認証構造は、必要なら、干渉性、ホログラフ的、金属的又は非金属的効果を呈するように構成することができる。
【００７３】
特には上記帯体、上記膜又は上記パッチであるような当該認証構造は、前記検査ゾーンを少なくとも部分的に画定する少なくとも１つの窓を有することができ、該窓は、例えば、上記認証構造の非金属化されたゾーン又は穿孔されたゾーンにより形成される。
【００７４】
本発明の例示的実施例においては、前記認証構造は前記基体上に設けられた、特にはイリデセント（真珠光）コーティング等の１つの表面塗装であるような１つのコーティング（被膜）を有し、該コーティングは前記検査ゾーンを画定するように配置された異なる干渉効果を持つゾーン又は可変厚のゾーンを呈する。
【００７５】
もし望むなら、特には書類である前記物品は１つのデュアルジェット紙（dual-jet paper）を有することができ、第１のジェットは、前記識別エレメントと、第２のジェットに形成され前記検査ゾーンを少なくとも部分的に画定する少なくとも１つの窓を有する認証構造とを含む及び／又は担持する基体の境界を定める。
【００７６】
本発明の例示的実施例においては、前記認証構造は少なくとも部分的に前記基体上で実施化される。
【００７７】
該認証構造は、前記識別エレメント（又は複数のエレメント）を組み込んだ又は担持した基体上で実施化された少なくとも１つの透かし（watermark）を有することができる。
【００７８】
前記検査ゾーンは、特に、例えば透かし等の認証構造により覆われたゾーンに、又は他の例として該認証構造により覆われたゾーンを除く当該物品の全表面に対応することができる。
【００７９】
前記識別エレメントの少なくとも１つは、
−  当該物品の基体内の１つの不均一な（heterogeneous）エレメント、
−  例えばＸ線蛍光により検出することが可能な紫外線吸収体化学化合物又はエレメント等の１つの活性材料、
−  特には発光（luminescent）及び／又は蛍光の、又は磁気共振の若しくは所定の反射率の特性を示す１つの粒子、
−  特には軟磁性金属繊維であるような磁性繊維等の１つの繊維、
−  紙基体の３Ｄ微細構造又はトポグラフィ、
の間から選択することができる。
【００８０】
前記識別エレメント（又は複数のエレメント）は、例えば異なる反射率特性を持つ等の例えば異なるタイプの幾つかの粒子を有することができ、その場合、識別は特に何れかのタイプの粒子における各密度の分析に基づくものとなる。
【００８１】
前記識別エレメント（又は複数のエレメント）は、必要なら、前記検査ゾーンに分散されたナノメートル寸法のエレメント、例えば約１５０ｎｍの直径のナノ繊維を有することができる。
【００８２】
本発明による物品は、該物品の認証及び／又は識別が当該書類上に如何なる材料の集合も必要とし得ないように特別に構成される。
【００８３】
当該物品が１つのプラスチック基体を有する場合、前記識別エレメントは該基体内の不均一なエレメントにより形成することができ、これらの不均一なエレメントは、例えば、該基体内の材料の欠損である。
【００８４】
該基体は、例えば、この基体の或るゾーン内にランダムに分散された気泡を含むことができる。
【００８５】
前記識別エレメントは、例えば、１つの紙基体内の３Ｄ微細構造又はトポグラフィにより定められる。
【００８６】
前記認証構造は、
−  １つの透かし、
−  例えば昼光（daylight）において又は特定の照明の下でのみ着色して見えるような１つの繊維であって、例えば非円形断面を持つ円柱状を有するか又は有さないものとすることができる繊維、
−  昼光において又は特定の照明の下でのみ現れる１つの薄片であって、例えばその全表面上で又は該表面の一部のみで金属的又はホログラフ的であるとすることができ、円形形状を有するか又は有さないものとすることが可能な薄片、
−  １つの膜、又は１つの印刷された金属の又はホログラムの帯体、
−  １つの印刷された金属の又はホログラムの箔、
−  １つの可変光学効果を備える印刷、
のうちの少なくとも１つを有することができる。
【００８７】
前記認証構造は、必要なら、白色光で見えるインクの印刷とは異なるようにし得る。
【００８８】
前記認証構造は、例えば可変光学効果を備えない通常のインクにより印刷されたバーコードとは相違し得る。
【００８９】
該認証構造は、可変光学効果を示すように特別に構成することができる。
【００９０】
本発明の例示的実施例においては、前記識別エレメント（又は複数のエレメント）は前記基体内にランダムに存在することができ、例えば後者はホログラム膜等の視覚効果を持つ保全積層の形態で提供される認証構造を全表面に伴って圧延される。
【００９１】
上記認証構造は、該認証構造の残部とは異なる物理的特性を呈するような１つの窓又は１つのゾーンを有することができる。
【００９２】
例えば上記膜等の認証構造は、上記窓外に、当該基体上に存在する識別エレメント（又は複数のエレメント）を励起するように作用する励起信号を遮蔽するように配設された少なくとも１つのゾーンを有することができる。
【００９３】
上記窓はレンチキュラスクリーンを呈するゾーンに対応することができる。
【００９４】
このように、前記検査ゾーンの画定は、特に可視ゾーンを限定することにより光学的であると共に、特に該検査ゾーン以外で上記励起信号を吸収又は反射する材料を用いることにより物理的であるとすることができる。
【００９５】
上記検査ゾーンは前記認証構造により画定されるゾーンよりも小さくすることができ、該認証構造は、必要なら、当該検査ゾーンを位置特定するための空間座標ｘ，ｙ，ｚの基準点として作用する。
【００９６】
本発明の例示的実施例では、前記識別情報は、直接的に理解することができるか又は理解することができない形態で前記空間的及び／又は物理的特徴を有し、該情報は例えば暗号化される。
【００９７】
他の例として、前記識別情報は当該物品の別の媒体上に記憶された空間的及び／又は物理的特徴を取り出すのを可能にし、該識別情報は例えば１つの物品識別子を有する。
【００９８】
前記識別情報は、前記検査ゾーンに含まれる識別エレメントの１つの画像を含む又は取り出すように作用することができる。
【００９９】
当該物品は、必要なら、
−  特にはバーコード等の光学的装置、
−  特にはチップ等を有するデータを記憶することができる電子装置、
−  磁気トラック、
−  光メモリ、
の中から特に選択される前記識別情報を記憶することができる少なくも１つのデータ媒体を有することができる。
【０１００】
好ましくは、該物品は少なくとも１つの見掛け（apparent）引用文を有するものとする。“見掛け引用文”とは、特に、当該物品上で見える例えばテキスト、画像又はロゴ等の情報エレメントを意味する。
【０１０１】
上記見掛け引用文は、例えば、特には名前（姓）、ファーストネーム（名）及び国籍等の個人の市民的身分に関する少なくとも１つのエレメント、並びに／又は例えば身長、体重及び毛髪若しくは目の色等の少なくとも１つの生理測定学的パラメータを有する。
【０１０２】
上記見掛け引用文は、必要なら、例えば１つの画像、１つの素性を示す写真を有することができる。
【０１０３】
当該物品が紙幣等の貴重書類である場合、上記見掛け引用文は例えば１つの連続番号を有することができる。
【０１０４】
上記見掛け引用文は印刷することができる。
【０１０５】
有利には、前記識別情報は、当該物品上で見える少なくとも１つの見掛け引用文を表す１つの情報にアクセスするのを可能にする。このようにして、当該物品と、該物品上で見える１つ又は数個の見掛け引用文との間に一義的関係を確立することが可能である。
【０１０６】
本発明の例示的実施例においては、前記物品は、特には紙の、少なくとも１つの繊維性基体を有する。他の例では、当該物品は１つのプラスチック基体を有することができる。
【０１０７】
本発明の例示的実施例では、上記物品は、
−  少なくとも１つの繊維性基体と、
−  基体の一方の側上に設けられた、特にはバインダ型の可能性のある少なくとも１つの表面層と、
−  上記基体及び／又は上記可能性のある表面層内に特にはランダムに分散された該基体及び／又は該可能性のある表面層の複数の不均一なエレメントと、
−  前記不均一なエレメントの少なくとも一部の少なくとも１つの空間的及び／又は物理的特徴に関連された少なくとも１つの認証及び／又は識別情報と、
を有する。
【０１０８】
上記不均一なエレメントは、本発明によれば、特に例えば１以上の異なる固体物質（又は複数の物質）を使用することにより得られる不均一なエレメントとは異なる。
【０１０９】
本発明によれば、検査ゾーンにおける前記繊維性基体及び／又は表面層の不均一なエレメントは、当該物品に関連付けられた署名、特には三次元の署名を形成するために使用することができる。この署名は、不均一なエレメントの配置及びランダムな寸法により単一とすることができる。
【０１１０】
好ましくは、上記不均一なエレメントは湿式フェーズにおける前記繊維性材料基体の形成の間に発生され、該基体の密度（mass density）の変動に対応する。これらの密度変動は、特に、当該基体を形成する湿式フェーズの間におけるガス圧入（gas
injection）により生じ得、該基体の光学特性の変動を生じる。
【０１１１】
上記不均一なエレメントは、例えば、当該基体の残部のものより小さな密度を有し、透過光で視覚的に感知可能な明色のスポットを形成することができる。
【０１１２】
上記不均一なエレメントは、オプションとして、優先的な態様で前記基体の所定の領域に、特には、例えば透かしを形成するために使用されると共に紙マシンの回転ワイヤシリンダに取り付けられたパンチ上に形成された小さな開口を介して１以上のガスを圧入する等により該透かしにより境界を定められた領域に、分散される。
【０１１３】
前記構造が表面層を有する場合、この表面層内の上記不均一なエレメントは、特に、該表面層を事前に形成された基体に被着する場合に発生され、その場合において、該不均一なエレメントは該表面層の密度の変動に対応する。これらの密度の変動は、乾燥フェーズの間における当該基体内に捕捉されたガス又は複数のガスの解放により（該基体により解放された該ガス又は複数のガスは上記表面層に侵入する）、又は当該基体への表面層の被着前又は被着の間において依然として湿っている該表面層へガスを意図的に注入することにより生じ得る。この表面層内のこれら不均一なエレメントは、該表面層の光学的密度の変動を生じる。
【０１１４】
上記表面層は、特にはバイダからなることができ、有利には当該構造に固有の印刷適性的特性及び／又は可変光学効果等の特性を付与するように構成することができる。
【０１１５】
使用される前記ガス又は複数のガスは、前記基体及び／又はオプションとしての表面層における１以上の反応性領域と作用し合って、前記不均一なエレメントに光学的及び／又は物理的変化を誘起させるように選択することができる。この変化は、例えば１つの不均一なエレメントにおける着色されたスポットの形成に相当することができる。
【０１１６】
この発明の他の目的は、他の態様によれば、
−  第１のタイプの少なくとも１つの第１認証構造と、
−  前記第１認証構造により少なくとも部分的に画定される少なくとも１つの第１検査ゾーンと、
−  前記第１のものとは異なる第２のタイプの少なくとも複数の第２認証構造であって、何れの第２認証構造も例えば１つの繊維又は１つの薄片を有し、これら第２認証構造が好ましくは前記第１検査ゾーン内にランダムに分散されるような第２認証構造と、
−  例えば１つの第２認証構造の輪郭により画定されるように、前記第２認証構造の少なくとも１つにより少なくとも部分的に画定される少なくとも１つの第２検査ゾーンと、
−  前記第２検査ゾーンにおける、前記第２認証構造とは異なる少なくとも１つの識別エレメントと、
を有するシート状材料を提供することにある。
【０１１７】
本発明の他の目的は、その態様の他の１つによれば、特には保全及び／又は貴重書類であるような物品を認証及び／又は識別する方法であって、前記物品が、
−  少なくとも１つの認証構造と、
−  前記認証構造により少なくとも部分的に画定される少なくとも１つの検査ゾーンと、
−  前記検査ゾーン内の、前記認証構造とは異なる少なくとも１つの識別エレメントと、
を有するような方法を提供することにある。
【０１１８】
上記物品は、前記検査ゾーンにおける特には空間的及び／又は物理的な少なくとも１つの特徴に関連された識別情報に少なくとも関連付けることができる。
【０１１９】
上記方法は、斯かる物品の前記認証及び識別の少なくとも一方を有することができ、該方法は当該書類の認証が、
−  特には裸眼により、所与の照明条件下での反射及び／又は透過により前記認証構造を観察するステップと、
−  観察により、前記物品の真正さに関して結論するステップと、
を有する一方、前記物品の識別が、
−  自動的又は非自動的に、前記識別情報を可能性として読み取るステップと、
−  前記識別情報に関連された前記物品の前記検査ゾーンの特徴を、該物品の検査ゾーンから得られた少なくとも１つの特徴と比較するステップと、
−  少なくとも比較により、前記物品の真正さに関して結論するステップと、
を有することを特徴とする。
【０１２０】
上述した比較は、例えば、第１画像と第２画像との間で実行され、第１画像は上記識別情報に関連されたもので、第２画像は識別する際に当該物品の検査ゾーンから得られる。
【０１２１】
上記比較は第１の値と第２の値との間で実行することもでき、第１の値は上記識別情報により得られ、第２の値は当該物品の検査ゾーン上で測定される。
【０１２２】
上記検査ゾーンの特徴は、例えば、複数の識別エレメントの空間的分布であり、この分布は、非光学的可変インクにより印刷されたマークによってではなく、前記認証構造により定められる基準点から決定することができる。
【０１２３】
当該書類の識別は、必要なら、自動的に達成することができる。
【０１２４】
本発明の例示的実施例では、前記認証構造は、特に顕微鏡等の機器の助けなしで、裸眼にとり見えるものである。
【０１２５】
当該方法は、
−  例えば可視光で又は赤外線で動作する例えば１組のセンサ等の少なくとも１つのセンサによる当該物品の画像解析により前記検査ゾーンを位置特定するステップ、
を有することができる。
【０１２６】
上記画像解析は、例えば、ＣＣＤカメラ又はＣＭＯＳカメラにより実施することができる。
【０１２７】
前記物品の識別は、
−  前記物品の検査ゾーンにおける識別エレメントの配置を、前記識別情報により取り出された画像と比較するステップ、
を有することができる。
【０１２８】
前記書類の識別は、
−  特に前記識別エレメントが外部励起を受けた場合に、前記検査ゾーンにおける識別エレメントにより発生される信号の信号強度を測定し及び／又はタイプを決定するステップと、
−  上記の測定された信号強度及び／又は信号のタイプを、前記識別情報により取り出されたデータと比較するステップと、
を有することができる。
【０１２９】
当該検出は、必要なら、前記検査ゾーンにおけるノイズイベント（noise event）の調査に依存することができる。
【０１３０】
前記署名にとり役立つ空間的及び／又は物理的特徴は、個別に又はグループで、且つ、必要なら前記検査ゾーンにおける識別エレメントに関連されると共に、前記検査ゾーンにおける識別エレメントの近傍の基体にも関連される。
【０１３１】
前記物品が少なくとも１つの見掛け引用文を有する場合、前記方法は、
−  前記見掛け引用文を表す情報を、当該物品上に現れる該見掛け引用文自体と比較するステップと、
−  少なくとも上記比較に基づいて当該物品の正真性及び／又は素性について結論するステップと、
を有することができる。
【０１３２】
上記の見掛け引用文は、例えば、個人の姓、名若しくは年齢、又は市民的地位等のエレメントであり得る。
【０１３３】
本発明の他の目的は、その態様の他のものによれば、特には保全及び／又は貴重書類であるような安全な物品を認証及び／又は識別するシステムであって、前記物品が、
−  少なくとも１つの認証構造と、
−  前記認証構造により少なくとも部分的に画定される少なくとも１つの検査ゾーンと、
−  前記検査ゾーンにおける、前記認証構造とは異なる少なくとも１つの識別エレメントと、
−  前記検査ゾーンにおける特には前記少なくとも識別エレメントの特には空間的及び／又は物理的な少なくとも１つの特徴に関連された少なくとも１つの識別情報と、
を有し、当該システムが、
−  前記物品上の前記検査ゾーンを位置特定するように配設された、特には１つの光学検出システムを有するような画像解析手段と、
−  前記検査ゾーンの、特には前記画像解析手段により位置特定された該検査ゾーンにおける識別エレメント（又は複数のエレメント）の特には空間的及び／又は物理的な特徴の取得手段と、
−  オプションとしての、前記識別情報に関連された前記検査ゾーンの特徴を、前記取得手段により得られた少なくとも１つの特徴と比較するように構成された処理ユニットと、
を有するようなシステムを提供することにある。
【０１３４】
本発明の他の目的は、その態様の他のものによれば、特には保全及び／又は貴重書類であるような安全な物品をシート状材料から製造する方法であって、該シート状材料が、
−  少なくとも１つの基体と、
−  少なくとも１つの認証構造と、
−  前記認証構造により少なくとも部分的に画定される少なくとも１つの検査ゾーンと、
−  前記検査ゾーンにおける、前記認証構造とは異なる少なくとも１つの識別エレメントと、
を有し、前記方法が、
−  前記シート状材料に、前記検査ゾーンの、特には該検査ゾーンの前記少なくとも識別エレメントの特には空間的及び／又は物理的な少なくとも１つの特徴に関連された少なくとも１つの識別情報を設けるステップ、
を有するような方法を提供することにある。
【０１３５】
上述した製造方法は、更に、
前記シート状材料上に少なくとも１つの印刷を実行するステップ、
を有することができる。
【０１３６】
本発明の他の目的は、その態様の他のものによれば、特には上述した方法を実施するためのシート状材料であって、
−  少なくとも１つの基体と、
−  好ましくは反射により見え、特には１つの繊維若しくは１つの薄片又は一群の繊維及び／又は薄片であるような、前記基体と作用し合う少なくとも１つの認証構造と、
−  前記認証構造により、特には前記繊維又は薄片の輪郭により少なくとも部分的に画定される少なくとも１つの検査ゾーンと、
−  前記検査ゾーンにおける、前記認証構造とは異なり、且つ、粒子又は１つの活性材料を有する少なくとも１つの識別エレメントと、
を有するようなシート状材料を提供することにある。
【０１３７】
このように、前記認証構造は、非光学的可変インクにより実施される特には英数字印刷又はバーコードのような印刷とは相違し得る。
【発明を実施するための最良の形態】
【０１３８】
本発明は、本発明の限定するものではない例示的実施例の下記の詳細な説明を精読し、添付図面を参照すれば最もよく理解されるであろう。
【０１３９】
図１は、本発明による保全及び／又は貴重書類１を示し、該書類は紙幣（銀行券：banknote）、安全保護用紙（security paper）、個人識別書類（identity document）、紙葉（leaf）若しくはパスポートカバー、ビザ、クーポン、例えば小切手若しくはクレジットカード等の紙幣以外の貴重書類、保護及び／又は認証タグ、追跡タグ（traceability
tag）、例えば１つ又は幾つかの医薬品ための包装装置であって例えば１つのブリスタ（blister）を有しているような包装装置のうちの１つを構成することができる。
【０１４０】
書類１は、本例では繊維基体２を有し、該基体は例えばセルロース繊維及び／又は綿リンタ（cotton linter）及び／又は合成繊維を有する。
【０１４１】
他の例として、基体２はプラスチックのものとすることもできる。
【０１４２】
記載する例では、基体２は、自体に、当該基体２の全表面上にランダムに分散された複数の識別エレメント３を含んでいる。
【０１４３】
これらの識別エレメント３は、例えば、特には発光性及び／若しくは蛍光性の粒子、並びに／又は特には軟磁性の磁性繊維若しくは特には赤外放射への暴露により光学的に励起可能な繊維を有する。
【０１４４】
これらの識別エレメント３は、裸眼により検出することができるように選択することができ、この目的のために、例えば十分に小さな寸法又は的確な反射度を呈する。
【０１４５】
識別エレメント３は、特には光電的、電磁的、電気的、磁気的又は熱的な適合された外部励起を受けた場合に固有の信号を放出するように構成されている。
【０１４６】
認証構造を画定する透かし４は、基体２上の該基体の所定の位置に形成される。
【０１４７】
この透かし４は、例えば、当該紙を製造する際のセルロース繊維の水性懸濁液に対する処理により得ることができる。透かし４を形成するために如何なる他の技法も、勿論、使用することができ、該透かしは疑似透かしとすることができる。
【０１４８】
透かし４の輪郭は、後に検査ゾーン５の境界を定める。
【０１４９】
この検査ゾーン５内にランダムに分散された識別エレメント３は、当該書類１の単一の署名を画定する。
【０１５０】
書類１は、例えば基体２上に印刷された見掛け引用文６を有する。これらの見掛け引用文６は、例えば、個人の姓及び名を有する。該見掛け引用文６は、如何なるタイプのものとすることもでき、例えば１つの画像を有する。
【０１５１】
書類１は、更に、考察される例ではデータを記憶することが可能なチップを備える１つの電子装置を含むようなデータ媒体８を有する。
【０１５２】
上記電子装置８は種々の方法で基体２に取り付けることができ、その際に、例えば当該基体体２内に少なくとも部分的に又は完全に組み込まれるか又は該基体の外面上に被着される。
【０１５３】
上記データ媒体８は、一方では検査ゾーン５に分散された識別エレメント３の少なくとも１つの空間的及び／又は物理的特徴を、他方においては当該書類１上に現れる見掛け引用文を表す情報を記憶する。
【０１５４】
該データ媒体８により記憶されたデータは、保全性（セキュリティ）を強化するために暗号化することができる。
【０１５５】
識別情報に関連される上記物理的特徴は、検査ゾーン５における識別エレメント（又は複数のエレメント）３の及び恐らくは該検査ゾーン５における基体部分の光学的、電磁的、電気的、磁気的又は熱的特徴に対応し得る。
【０１５６】
識別情報に関連する上記空間的特徴は、検査ゾーン５における識別エレメント（又は複数のエレメント）３の配置、大きさ及び単位面積当たりの密度に関係するものとすることができる。
【０１５７】
書類１の認証は、第１レベルの保全エレメントを構成する透かし４を透過により単に観察することにより実行することができる。
【０１５８】
認証目的での特定の装置の使用は、必要ではない。
【０１５９】
もし必要なら、該書類の認証に加えて該書類の識別を実行することが望ましいであろう。
【０１６０】
この目的のために、書類１の単一の署名が介在するが、該署名は検査ゾーン５に分散された識別エレメント３により形成される。
【０１６１】
書類１の識別は、図８に非常に概念的な形で図示された適切なシステム１００により得ることができる。
【０１６２】
このシステム１００は、
−  制御空間１０２内に当該書類１を挿入するのを可能にする１つのスリット１０１と、
−  例えば１つのカメラを有する１つの光学検出システム１０３であって、上記制御空間１０２に挿入された書類１の検査ゾーン５を、特には画像解析により位置特定するように構成され、且つ、例えば可視光又は赤外光で動作すると共に例えば少なくとも１つの発光ダイオード又はレーザダイオードを有するようなシステムと、
−  上記検出システム１０３により位置特定された検査ゾーン５内の識別エレメント３の空間的及び／又は物理的特徴の取得手段１０４であって、外部励起を受けた場合に検査ゾーン５内に存在する識別エレメント３により発生される信号の強度を測定する１つのセンサ又は一群のセンサ等の特には１つの装置を有することができるような取得手段と、
−  識別情報と関連された当該書類１の識別エレメント３の上記特徴を、前記取得手段１０４により得られた少なくとも１つの特徴と比較するように構成されたコンピュータ等の１つのデータ処理ユニット１０５と、
を有する。
【０１６３】
本発明の例示的実施例では、上記システム１００は複数の照明源を有することができ、少なくとも１つは例えば可視部分で動作すると共に検査ゾーン５を位置特定するために使用され、１つ又は多くの他の照明源は識別エレメント（又は複数のエレメント）の複数励起を生成するために使用され、これらの多分複数の励起は同時的又は順次のものとすることができる。
【０１６４】
システム１００は、励起源が電磁的である場合、必要なら、励起及び／又は放出波長を濾波するフィルタを有することができる。
【０１６５】
前記取得手段１０４は、前記識別エレメントにより放出される信号が電磁型のものである場合、フォトダイオードボックスを有することができ、該信号が磁気型のものである場合磁気抵抗センサを有することができる。
【０１６６】
図示せぬ代替バージョンにおいては、システム１００は１つのカメラを含む１つの検出装置を有することができ、この装置は書類１の検査ゾーン５を位置特定すると共に、該検査ゾーン５内に存在する識別エレメント３の面積密度及び／又は空間分布等の１つの空間的特徴を決定するように構成される。
【０１６７】
書類１の識別は下記のステップを有することができる。
【０１６８】
最初に、書類１はシステム１００の制御空間１０２に挿入される。
【０１６９】
光学検出システム１０３は、例えば透かし４の輪郭を決定することによって、画像解析により当該書類１の検査ゾーン５を位置特定する（図９におけるステップ１２０）。
【０１７０】
取得手段１０４は、検出システム１０３により位置特定された検査ゾーン５内の識別エレメントの１つの空間的及び／又は物理的特徴を、例えば該検査ゾーン５内に存在する識別エレメント３により発生される信号の強度を測定することにより決定する（ステップ１２１）。
【０１７１】
次いで、処理ユニット１０５は、該測定された信号強度を、書類１のデータ媒体８に記憶された識別情報に関連する値と比較する（ステップ１２２）。
【０１７２】
当該識別が光学的検出に依存し、特に取得手段１０４が１つのカメラを有する場合、上記比較は特に２つの画像、即ち書類１で検査ゾーンのレベルにおいて得られる一方の画像及びデータ媒体８に格納された情報により取り出される他方の画像を扱うことができる。
【０１７３】
見掛け引用文を表す情報は、書類１上に現れている見掛け引用文６と比較される。
【０１７４】
上述した比較は、書類１及び基体２に現れる見掛け引用文６の間の一義的関係をチェックし、次いで該書類１の真正さ及び素性をチェックするのを可能にする（ステップ１２３及び１２４）。
【０１７５】
本発明の他の例示的実施例では、当該書類を識別するための有効な情報、即ち前記空間的及び／又は物理的特徴並びに少なくとも見掛け引用文を表す情報、は当該書類１自体には記憶されず、図１０に図示したように当該書類１とは別の１つのデータ媒体１３０上に記憶される。
【０１７６】
このデータ媒体１３０は、例えば、１つのコンピュータシステムの１つのデータベースからなることができる。
【０１７７】
この場合、上記識別情報は、データ媒体１３０に記憶された当該書類に関連するデータを、携帯電話又はパーソナル・デジタル・アシスタント（ＰＤＡ）又はコンピュータ又は何らかの他の装置等の１つの端末１３１により取り出すのを可能にするような１つの識別子を有する。
【０１７８】
端末１３１は、ケーブル接続された又はケーブル接続されないリンクを介してデータベース１３０に接続することができる。
【０１７９】
この場合、上記書類の識別は、このようにして実行することができる。
【０１８０】
前記識別子が読み取られ、当該書類を認証及び／又は識別するのに有効なデータ、即ち識別エレメント３の１つの空間的及び／又は物理的特徴及び見掛け引用文を表すデータ、が取り出される。上述したデータを取り出すために、ユーザは端末１３１により該書類の識別子をデータベース１３０を有するシステムに送信することができ、これに対し、該システムは端末１３１に対して例えば検査ゾーン５の画像１３２を含む所要のデータを送信する。
【０１８１】
この取り出されたデータは、当該書類上で決定された空間的及び／又は物理的特徴並びに該書類上に現れている見掛け引用文と比較して、書類１を識別するのを可能にする。
【０１８２】
明らかなことに、上記検査ゾーンが１つの透かし以外のエレメントにより画定される場合も本発明の範囲外となることはない。
【０１８３】
図２は、前の例で述べたような１つの繊維性基体と、この基体２の一方の側に配設された１つの箔１１とを有するような書類１０を図示している。
【０１８４】
箔１１は、１つの釈放被膜を有する多層構造の熱及び圧力印加による移着により書類１０上に被着される。
【０１８５】
図示の例では、箔１１は１つの金属化部１２と、特にはパターン（例えば英数文字）を形成することができる非金属化ゾーン１３とを有する。これらのゾーン１３は窓を画定する。識別のために使用される検査ゾーン５は、例えば、非金属化ゾーン１３に対応する。図示されていない代替バージョンでは、非金属化ゾーン１３は箔１１の打ち抜きゾーンにより置換することができる。
【０１８６】
考察されている例において、繊維等の識別エレメント３は、特にはランダムに、基体２の全表面上に分散されている。他の例として、繊維３は基体２の１つの画定されたゾーン１９上のみに分散される。このゾーン１９は、例えば、１つの帯状形状を呈する。
【０１８７】
識別エレメント３は、例えば基体２を形成する場合に、特にはセルロース分散に対する１つ又は幾つかの適切なストリップノズル（strip nozzles）により設けられる。
【０１８８】
箔１１は、所望なら、基体２の該ゾーン１９を全体に覆うことができる。
【０１８９】
箔１１は、検査ゾーン５より外の励起信号を遮蔽するのを可能にする。
【０１９０】
書類１０は、例えばバーコードからなる１つのデータ媒体１５を有し、該バーコードは比較的大量のデータを記憶するのを可能にするような、例えばＰＤＦ４１７との名称で知られたもの等のマトリクス型のものとすることができる。
【０１９１】
図１の例では、識別エレメント３は基体２本体に全表面にわたり分散されている。
【０１９２】
図３は、１つの繊維性基体２１を有する書類２０を示し、該基体には特にはプラスチックの帯状保全エレメント２２が該基体２１を製造する際に組み込まれる。
【０１９３】
帯状エレメント２２は、該エレメントの全表面にランダムに分散された複数の識別エレメント３を担持している。
【０１９４】
基体２１は、基体２０の一方の側２５において上記帯状エレメント２２の幾つかのゾーン２４を開けたままとする窓２３を有している。
【０１９５】
これらのゾーン２４の間では、帯状エレメント２２は基体２１本体内に埋没される。
【０１９６】
図示の例では、窓２３は帯状エレメント２２の幅より小さな幅の長方形形状を呈している。
【０１９７】
基体２１は、一方の側２５のみに窓２３を有することができる。
【０１９８】
他の例として、図４に示すように、基体２１は書類２０の対向する両側２５及び２６において帯状エレメント２２を開けたままにするような対向する窓２３を有することができる。
【０１９９】
特に、斯かる窓を形成する方法に関してはヨーロッパ特許出願公開第６９０９３９号を参照することができる。
【０２００】
書類２０を識別するために使用される検査ゾーン５は、基体２１の窓２３に対して直角に、帯状エレメント２２の露出されたゾーン２４により形成される。
【０２０１】
書類２０は例えば１つの磁気トラック２８により形成された１つのデータ媒体を有し、該媒体には当該書類２０を識別するために使用されるデータが記憶される。
【０２０２】
図５は、本発明による１つの書類３０であって、１つの第１ジェット３２及び１つの第２ジェット３３により形成される１つのバイジェット（bi-jet）紙３１を有する。第１ジェット３２は窓３４を有し、第２ジェット３３は自体に幾つかの識別エレメント３を含んでいる。
【０２０３】
図示の例において、検査ゾーン５は窓３４により画定されている。
【０２０４】
識別エレメント３は、代わりに、両ジェット３２及び３３の積層段階の前に、例えば吹付けによりに、これら両ジェット３２及び３３の間に配設することもできる。
【０２０５】
書類３０は、別のデータ媒体１３０から当該書類３０を識別するために要するデータを取り出すことを可能にする１つの識別子３６を有している。
【０２０６】
図６は、複数の識別エレメント３を含む１つの繊維性基体４１を有するような本発明による書類４０を示している。
【０２０７】
基体４１には１つの表面塗装４２が設けられ、この被膜は例えば真珠光タイプのものとすることができる。
【０２０８】
この被膜４２は、例えば検査ゾーン５を形成すると共に隣接するゾーンのものとは異なる変化する光学的効果を有する減少された厚さのゾーン４３を画定するような変化する厚さを呈する。
【０２０９】
上記識別エレメント３は、
−  ＣＲＥＯ社の粒子Traceless（商標）、
−  NANOBARCODE社の粒子Nanoplex（登録商標）、
−  SPECTRA
SYSTEMS社の粒子Polystar（商標）、
−  MICROTAG社の粒子Microtag、
の中から選択することができる。
［本発明による認証構造及び識別エレメントの例］
図７は、識別エレメント５０を担持した１つの保全繊維５１を示す。
【０２１０】
該繊維５１は下記のように実施化される。
【０２１１】
保全繊維５１を得るように設計されたビスコース繊維を紡糸する際に、該ビスコースのマスターバッチに、認証に使用可能な例えば昼光では見えず３６５ｎｍで発光するような１つの発光物質と、識別のために５ｍｍの各ステープル繊維に対して少なくとも２つの別々の粒子Traceless（商標）を有するような十分な量のＣＲＥＯ社の粒子Traceless（商標）５０を添加する。次いで、これらのステープル繊維は１つの紙基体にランダムに挿入される。該発光性繊維５１は、ウッドランプにより認証することができる第２レベルの認証構造を画定する。識別エレメントは、各繊維に分散された上記粒子Traceless（商標）により画定される。これらの粒子は、１つの繊維上で、該繊維のスペクトル応答を期待されるものと比較することにより識別することができる。発光性繊維の正真性に関して疑義がある場合、特に印刷による偽造の発光性繊維の如何なる疑いがある場合も、該保全繊維において粒子Traceless（商標）の特徴の識別が実行される。この場合、検査ゾーン５は繊維５１の輪郭により形成される。
［本発明による保全及び／又は貴重書類の例］
書類の保全性を強化するために、この書類は２つのタイプの認証構造を有することができる。該書類の基体は、例えばＤＲＥＯ社の粒子Traceless（商標）により形成された識別エレメントを含む発光性繊維５１をランダムに有する。該紙基体上に、予備部（reserves）を備える１つのホログラム箔が被着される。該書類の識別は、一方においては箔の予備部に存在する繊維により画定された検査ゾーン内に位置する粒子Traceless（商標）の個別の光学的検出に依存し、他方においては該箔の予備部における繊維５１の分布に依存する。この場合、１つの検査ゾーンは、各繊維５１の輪郭及び上記箔に形成された予備部の両方により形成される。このように、該書類の識別は、当該箔における予備部により画定されたゾーン内にランダムに分散された繊維５１の物理的及び空間的特徴の組み合わせに基づくものとすることができる。赤外線励起下での該ゾーンのスペクトル画像が取得され、期待されたものと識別目的で比較される。
［本発明による認証構造及び識別エレメントの他の例］
HYPERLABEL
TECHNOLOGIES社により開発された活性材料から得られるマトリクスコード１４０（図１２参照）を使用することができる。裸眼では見えないインクに製剤された該活性材料が、着色された低重量用紙上にインクジェット印刷により印刷され、該用紙は次いで例えばディスク形状を持つ幾つかの薄片を生成するように切断される。前記印刷は、例えば２ｍｍなる直径を持つ各薄片が同じマトリクスコードを担持することができるように実行される。該着色された薄片は、例えばブランド製品用のタグを形成することを意図する用紙に分散させた後に、第１レベルの認証構造を構成する。各薄片は、更に、上記マトリクスコードにより構成される識別保全性のための１つの検査ゾーンを画定する。該コードは、１つの薄片上で、例えばHYPERLABEL社により開発された赤外で動作するチャット／スキャナペンにより読み取ることができる。該ペンは、上記マトリクスコードを復号すると共に、記録されたデータを該コードに復元することが可能な処理ユニットに接続される。
［本発明による保全及び／又は貴重書類の他の例］
前記識別エレメントは、１つの紙基体に組み込まれた帯状エレメント上に配設される。該識別エレメントは、例えばNANOBARCODES社により販売されている可変反射度を持つ微細粒子Nanoplex（登録商標）である。異なる反射度特性を持つ両タイプの粒子の混合物が使用される。上記帯状エレメントは、繊維Nanoplex（登録商標）の検査ゾーンとして働く１つの非金属化されたゾーンを有する箔等の認証構造と一緒に圧延される。この検査ゾーン内において、画像解析が自動的に実行される。この解析は、各々のタイプの粒子の各割合（パーセンテージ）と、これら粒子の検査ゾーンにおける分布とに依存する。
【０２１２】
尚、本発明は上述した例示的実施例に限定されるものではない。
【０２１３】
図１１に示されるように、当該書類は例えば透明樹脂（特には、硬化性樹脂）基体等の１つのプラスチック基体６０を有し、該基体内に不均一なエレメント６１が形成される。
【０２１４】
これらの不均一なエレメント６１は、例えば当該基体６０を製造する際に得られ、この基体６０内にランダムに分散されるような材料の欠損又は気泡に対応する。
【０２１５】
例えば該基体上に被着される膜又は箔の１つの又は幾つかの窓により画定される１つの検査ゾーン内の上記不均一なエレメント６１は、当該書類の署名の境界を定める識別エレメントを形成する。
【０２１６】
図１３は、本発明の他の例示的実施例による１つの基体１４６を有する書類１４５を示している。
【０２１７】
上記基体１４６は、図１５に示すような丸い形状の製紙マシン１４７により形成される繊維性被膜である。
【０２１８】
このマシン１４７は、例えばセルロース繊維、及び／又は綿リンタ、及び／又は合成及び／又は人工繊維等の繊維の懸濁液１４９が入った容器１４８を有し、該懸濁液には１つの表面１５１を画定する回転するクロージングシリンダ１５０が部分的に浸され、上記表面に接触して繊維性被膜１４６が連続的に形成される。
【０２１９】
繊維の懸濁液１４９内への空気の供給を生じさせて気泡１５３を形成するために、１つのダクト１５２が設けられている。
【０２２０】
後者は、図１３に非常に概念的に示されているように、繊維性被膜１４６内に不均一なエレメント１５５を生成する。
【０２２１】
勿論、上記の不均一なエレメント１５５は、特には基体１４６の製造工程に従って、如何なる他の適切な手段により形成することもできる。
【０２２２】
考察されている例において、基体１４６は紙繊維に基づいて実施化される。
【０２２３】
如何なる不均一なエレメント１５５も、基体１４６の残部のものより小さな質量密度により、透過光内での透過性による可視的明スポットに対応する。
【０２２４】
単位面積当たりの不均一エレメント１５５の数及び／又は不均一エレメントの平均サイズは、例えば繊維懸濁液１４９内への漏れ空気流を調整することにより制御することができる。
【０２２５】
基体１４６内又は該基体の幾つかのフィールド内でのランダムな分布により、透かし１５８により画定される検査ゾーン５内の不均一エレメント１５５は、該基体１４６に関連された単一の署名を形成する。
【０２２６】
図１４に示されるように、不均一エレメントは、事前に形成された基体１４６上に表面層１６０を被着する際に、該表面層１６０内に発生させることができ、これら不均一エレメントは層１６０の密度変動に対応する。これらの密度変動は、例えば、乾燥フェーズの間における基体１４６内に捕捉されていたガスの解放により生じさせることができ、これによれば、基体により解放されたガスは上記表面層に侵入する。他の例として、上記密度変動は、表面層１６０が上記基体に被着される前又は被着される際に、未だ湿っている表面層１６０内にガスを意図的に注入することによっても生じさせることができる。表面層１６０のこれら不均一エレメントは、光学的密度変動を発生させる。
［本発明による書類の例］
図１６は、１つの繊維性基体１８１を有する１つの書類１８０を示し、この基体は、該基体１８１内に又は上に別の識別エレメントを追加すること無しに長方形の明るい（clear）透かし１８２等の認証構造を呈し、該透かしは第１レベルの認証構造及び１つの検査ゾーン５を決定するための基準点として作用する（該明るいゾーンの当該基体の残部に対する光学的コントラストにより）。識別する場合、繊維性基体１８１の３Ｄ微細構造（トポグラフィ）が、その単一の署名により識別するよう作用する。この単一の署名は、Escher
Lab及びコダックにより述べられているもの、又はロンドンのインペリアル・カレッジのRussel Cowburnにより“タグ、チップ又はインクによる包装及び書類の安全な指紋”なる題名の文献に提示されたもの等のセンサにより読み取ることができる。この最後のセンサは、所与のゾーンにおける基体による可視放射の吸収の固有の特徴を調べる１つの“スキャナ”に位置する。
【０２２７】
上記光学センサは、透かし１８２の輪郭を位置特定すると共に、該透かしにより画定されるゾーンの内側において当該繊維性基体の小さな検査ゾーン５を決定するように構成することができ、該検査ゾーン５は、この場合、上記透かしの輪郭により画定されるゾーンより小さい。
【０２２８】
図１７は、１つの紙基体１７６を有する１つの書類１７５を示す。
【０２２９】
上記基体の面１７６上には箔又は膜１７８が固着され、この箔又は膜１７８は１つの窓１７９を有する。考察されている例では、該箔又は膜１７８は認証構造の境界を定め、窓１７９は検査ゾーン５の境界を定める。
【０２３０】
上記検査ゾーン５は、好ましくは、当該書類の寿命中に折り曲げられ又は損傷され易い該書類の角及び／又は境界から離れているものとする。
【０２３１】
書類１７５又は１８０の識別は、検査ゾーン５における紙基体表面１７６の３Ｄ解析に基づくものである。
【０２３２】
上記解析は、例えば、サブミクロンの解像度での検査ゾーン５のレーザ走査に依存することができる。該検査ゾーン５における上記紙の３Ｄ微細構造は、当該書類の単一の署名を画定する。
【０２３３】
明らかなことに、記載された異なる実施例の特徴は、図示せぬ代替バージョン内で組み合わせることができる。
【０２３４】
例えば、図１を参照して説明した書類１の電子装置８は、図２における書類１０のバーコード１５により置換することができる。
【０２３５】
図示せぬ例において、特には図１ないし６に図示した物品は、前記識別情報は有さず、この識別情報は当該物品に異なるように関連される。
【０２３６】
“１つ有する”なる表現は、特に指定しない限り、“少なくとも１つ有する”と同義である。
【図面の簡単な説明】
【０２３７】
【図１】図１は、本発明の例示的実施例による保全及び／又は貴重書類を概念的且つ部分的に示す。
【図２】図２は、本発明の他の例示的実施例による保全及び／又は貴重書類を概念的且つ部分的に示す。
【図３】図３は、本発明の他の例示的実施例による保全及び／又は貴重書類を概念的且つ部分的に示す。
【図４】図４は、本発明の一例示的実施例による書類の概念的且つ部分的な横断面図である。
【図５】図５は、本発明の他の例示的実施例による保全及び／又は貴重書類を概念的且つ部分的に示す。
【図６】図６も、本発明の他の例示的実施例による保全及び／又は貴重書類を概念的且つ部分的に示す。
【図７】図７は、本発明による書類に組み込むことが可能な１つの繊維を概念的且つ部分的に示す。
【図７Ａ】図７Ａは、本発明による書類に組み込むことが可能な１つの薄片を概念的且つ部分的に示す。
【図８】図８は、本発明による認証及び／又は識別システムを非常に概念的な形で示す。
【図９】図９は、本発明による認証及び／又は識別方法の異なるステップを示すブロック図である。
【図１０】図１０は、本発明による書類を認証及び／又は識別するためのデータを取り出すステップを概念的又は部分的に示す。
【図１１】図１１は、本発明による書類の識別エレメントを概念的又は部分的に示す。
【図１２】図１２は、活性材料から実施されるマトリクスコードを概念的又は部分的に示す。
【図１３】図１３は、本発明の一例示的実施例による１つの書類を概念的又は部分的に示す。
【図１４】図１４は、表面層を有する本発明の一例示的実施例による物品を断面で概念的に示す。
【図１５】図１５は、本発明による物品の繊維層の製造ステップを書類を概念的又は部分的に示す。
【図１６】図１６は、本発明の例示的実施例による書類を概念的且つ部分的に示す。
【図１７】図１７も、本発明の例示的実施例による書類を概念的且つ部分的に示す。
【図１】
2009507690.tif 000003
【図２】
2009507690.tif 000004
【図３】
2009507690.tif 000005
【図４】
2009507690.tif 000006
【図５】
2009507690.tif 000007
【図６】
2009507690.tif 000008
【図７】
2009507690.tif 000009
【図７Ａ】
2009507690.tif 000010
【図８】
2009507690.tif 000011
【図９】
2009507690.tif 000012
【図１０】
2009507690.tif 000013
【図１１】
2009507690.tif 000014
【図１２】
2009507690.tif 000015
【図１３】
2009507690.tif 000016
【図１４】
2009507690.tif 000017
【図１５】
2009507690.tif 000018
【図１６】
2009507690.tif 000019
【図１７】
2009507690.tif 000020
【国際調査報告】
2009507690.tif 000021
2009507690.tif 000022
2009507690.tif 000023
2009507690.tif 000024
2009507690.tif 000025
2009507690.tif 000026